(57)【要約】【課題】コンパクトに保管でき、設営が簡単で、テントの安定性が高く、荷重による支柱の押し縮みを原因としたテントの傾倒が発生しない折畳テントを提供する。【解決手段】  四隅に配される折り畳み可能な４本の支柱１１と、天幕１６が掛止された屋根１７とを備えた折畳テントにおいて、前記各支柱１１は、縦長で平面視してＬ字状の部分支柱１８，１９を、ヒンジで内折れ可能に連結したものであり、前記各部分支柱１８，１９は、フレーム状の複数の支柱エレメント１８Ａ，１８Ｂ，１９Ａ，１９Ｂを、高さ方向に折り畳み可能なようにヒンジＨで連結したものである。【選択図】図１
2020002739.tif 000002
【特許請求の範囲】
【請求項１】
四隅に配される折り畳み可能な４本の支柱と、
対応する支柱の上端部間に前後左右の梁材がそれぞれ着脱可能に連結され、かつ該各梁材に天幕が掛止された屋根とを備えた折畳テントにおいて、
前記各支柱は、縦長な左右一対の部分支柱を、平面視して内折れ可能に連結したもので、
前記各部分支柱は、支柱エレメントを、高さ方向に折り畳み可能に連結したものであることを特徴とする、折畳テント。
【請求項２】
前記各部分支柱は、フレーム状またはパネル状の複数の支柱エレメントで構成され、
前記各部分支柱は、それぞれ上下一対の前記支柱エレメントを有し、
前記各部分支柱のうち、左右一対の上側の前記支柱エレメントは、平面視して内折れ可能に連結されたもので、
前記各部分支柱のうち、左右一対の下側の前記支柱エレメントは、平面視して内折れ可能に連結されたもので、
一方の前記部分支柱は、上側の前記支柱エレメントに、下側の前記支柱エレメントを、側面視して外折れ可能に連結したものであることを特徴とする、請求項１に記載の折畳テント。
【請求項３】
前記折畳テントは、前記各支柱の高さが同一で、かつ前記屋根の高さが前側より後側の方が低い片流れ式のものであることを特徴とする、請求項１または請求項２に記載の折畳テント。
【請求項４】
前記支柱エレメントは、平行に離間した２本の縦枠材と、複数本の横枠材とを有した梯子状の構造物であることを特徴とする、請求項１〜請求項３のいずれか一つに記載の折畳テント。
【請求項５】
前記各支柱と前記各梁材とは、それぞれ木製であることを特徴とする、請求項１〜請求項４のいずれか一つに記載の折畳テント。
【請求項６】
前記内折れ可能に連結と、折り畳み可能に連結とが、共にヒンジによるものであることを特徴とする、請求項１〜請求項５のいずれか一つに記載の折畳テント。
【請求項７】
前記外折れ可能な連結が、ヒンジによるものであることを特徴とする、請求項２〜請求項６のいずれか一つに記載の折畳テント。
【発明の詳細な説明】
【技術分野】
【０００１】
この発明は、折畳テント、詳しくは支柱がコンパクトに折り畳める折畳テントに関する。
【背景技術】
【０００２】
従来、折畳テントとして、例えば、特許文献１に記載されたものなどが知られている。
このテントでは、四隅に配置された支柱として、上方の外筒に下方の内筒をスライド自在に挿入し、蝶ねじなどのロック装置の締め付け力によって、任意の引き出し位置で固定できるテレスコピック構造のものを採用している。
【先行技術文献】
【特許文献】
【０００３】
【特許文献１】特開２０１４−２４０５７６号公報
【発明の概要】
【発明が解決しようとする課題】
【０００４】
しかしながら、このようなテレスコピック構造の支柱では、テント設営時、地面と接触するのは、４本の支柱のうちの細長な内筒の先端部のみであり、設営したテントの安定性に欠けていた。
また、テントの屋根の全荷重が４本の支柱に作用するため、テント組立時（特に、屋根組立時）およびテント設営後において、ロック装置による締め付けが不十分な場合には、当該支柱の内筒が外筒に押し込まれ、支柱の長さが短くなってテントが傾くことがあった。
【０００５】
そこで、発明者は鋭意研究の結果、テントの各支柱として、それぞれが平面視してＬ字状にヒンジ連結された縦長な左側部分支柱と右側部分支柱とを有し、かつこれらの左，右側部分支柱が、複数枚のフレーム状またはパネル状の支柱エレメントを高さ方向に折り畳み可能に連結したものとすれば、上述した課題はすべて解消されることを知見し、この発明を完成させた。
【０００６】
本発明は、コンパクトに折り畳んで保管でき、かつテントの支柱による安定性が高いとともに、屋根組立時には、各支柱の安定した折り曲げ状態を確保して作業を行うことができ、テント設営後は、屋根の荷重による支柱の押し縮みを原因としたテントの傾倒が発生しない折畳テントを提供することを目的としている。
【課題を解決するための手段】
【０００７】
第１に、四隅に配される折り畳み可能な４本の支柱と、対応する支柱の上端部間に前後左右の梁材がそれぞれ着脱可能に連結され、かつ該各梁材に天幕が掛止された屋根とを備えた折畳テントにおいて、前記各支柱は、縦長な左右一対の部分支柱を、平面視して内折れ可能なＬ字状にヒンジ連結したもので、前記各部分支柱は、フレーム状またはパネル状の複数の支柱エレメントを、高さ方向に折り畳み可能に連結したものであることを特徴とする折畳テントである。
【０００８】
テントの種類は、限定されない。
テントの形状は、平面視して矩形状であれば限定されず、正方形でも長方形でもよい。
支柱の本数は、少なくとも４本であればよく、６本、８本でもよい。
【０００９】
各梁材の構造は、任意である。
例えば、１本の棒材のみでも、各種のフレーム構造物（平行弦トラスなど）や平板でもよい。
各梁材は、テントのコンパクト化の向上を図るため、長さ方向に折り畳み可能に構成してもよい。
【００１０】
天幕の素材は、任意である。
例えば、幌布、織布、合成樹脂シートなどを採用することができる。
また、天幕の形状やサイズは、屋根の形状やサイズに応じて適宜変更される。
【００１１】
部分支柱とは、支柱の右半分または左半分を構成する部材である。
各部分支柱を構成する支柱エレメントの数は、任意である。
「左右一対の部分支柱を、平面視して内折れ可能なＬ字状にヒンジ連結する」とは、左右一対の部分支柱を、ヒンジを介して、内方へ閉じることでこれらが２枚重ねとなり、左右一対の部分支柱を開くことで、これらが平面視してＬ字状に配置されるような連結状態をいう。
【００１２】
各部分支柱は、所定の支柱エレメント間で折り畳み（折り曲げ）可能となっている。
折り畳み方向（折り畳み角度）は、任意である。
例えば、側面視して直角に外折りしてもよい。
または、側面視して直角に内折してもよい。
ただし、外折れの方が、例えばテント組み立て時の安定性は高い。
ヒンジの種類は、任意である。
例えば、平丁番、ごぼし丁番、自由丁番、フランス丁番、樹脂丁番などを採用することができる。
【００１３】
第２に、前記各部分支柱は、それぞれ上下一対の前記支柱エレメントを有し、前記各部分支柱のうち、左右一対の上側の前記支柱エレメントは、平面視して内折れ可能なＬ字状にヒンジ連結されたもので、前記各部分支柱のうち、左右一対の下側の前記支柱エレメントは、平面視して内折れ可能なＬ字状にヒンジ連結されたもので、一方の前記部分支柱は、上側の前記支柱エレメントに下側の前記支柱エレメントを、側面視して直角に外折れ可能にヒンジ連結したもので、他方の前記部分支柱には、前記上下一対の支柱エレメントの隣接する端部間に、互いを掛止する掛止具が配されたことを特徴とする前記第１に記載の折畳テントである。
【００１４】
「左右一対の上側の支柱エレメント（下側の支柱エレメント）を、平面視して内折れ可能なＬ字状にヒンジ連結する」とは、左右一対の上側の支柱エレメント（または下側の支柱エレメント）を、ヒンジを介して、内方へ閉じることで、これらが２枚重ねとなり、左右一対の上側の支柱エレメント（または下側の支柱エレメント）を開くことで、これらが平面視してＬ字状に配置されるような連結状態をいう。
【００１５】
「一方の部分支柱は、上側の支柱エレメントに、下側の支柱エレメントが、側面視して直角に外折れ可能にヒンジ連結されている」とは、左側の部分支柱または右側の部分支柱において、上側の支柱エレメントの下端部に、ヒンジを介して、下側の支柱エレメントの上端部が連結されており、かつ下側の支柱エレメントの回動方向と最大回動角度が、部分支柱を（厚さ方向から）側面視したとき、外方向へ９０°であることを意味する。
【００１６】
「他方の部分支柱は、上下一対の支柱エレメントの隣接する端部間に、互いを掛止する掛止具が配されている」とは、左側の部分支柱または右側の部分支柱において、互いに隣接する（突き合わされる）上側の支柱エレメントの下端部と、下側の支柱エレメントの上端部とが、着脱可能な連結具（係止具）を介して連結されていることを意味する。
【００１７】
掛止具（留め具）の種類は、限定されない。
例えば、パッチン錠、クラスプ留め金具、スネーク錠、ラッチ、面ファスナなどを採用することができる。
【００１８】
第３に、前記折畳テントは、前記各支柱の高さが同一で、かつ前記屋根の高さが前側より後側の方が低い片流れ式のものである前記第１または第２に記載の折畳テントである。
【００１９】
「各支柱の高さが同一」とは、各支柱を真っ直ぐにした状態で、全ての支柱の高さが同じであることを意味する。
各支柱を同一高さ（同一長さ）にすることで、テント天井部の片流れは、屋根の傾斜構造によって現出される。
【００２０】
第４に、前記支柱エレメントは、平行に離間した２本の縦枠材と、複数本の横枠材とを有した梯子状の構造物であることを特徴とする前記第１〜３のうち、いずれか一つに記載の折畳テントである。
【００２１】
第５に、前記各支柱と前記各梁材とは、それぞれ木製であることを特徴とする前記第１〜４のうち、いずれか一つに記載の折畳テントである。
【００２２】
木の種類は、任意である。
例えば、杉、檜、松などの各種の天然木を採用することができる。
その他、各種の人工木でもよい。
【発明の効果】
【００２３】
第１の発明によれば、テントの四隅に配された支柱として、縦長な左右一対の部分支柱を、平面視して内折れ可能なＬ字状にヒンジ連結したものを採用している。
ここで、各部分支柱は、フレーム状またはパネル状の複数の支柱エレメントを、高さ方向に折り畳み可能に連結したものである。
【００２４】
これにより、保管時には、屋根を各梁材と天幕とに分解し、かつ各支柱をコンパクトに折り畳んで保管できる。
また、屋根の組立時には、各支柱を所定の支柱エレメント間で折り曲げた中折れ状態の低い位置で、屋根の組み立て作業を行うことができる。
その結果、屋根組み立ての作業性が高まり、テントの設営時間を短縮できる。
【００２５】
さらに、屋根の組み立て後は、折り曲げた各支柱エレメントを真っ直ぐに伸ばし、その後、左右一対の部分支柱を、ヒンジを介して平面視してＬ字状に開く。
こうしてテントの組み立て（設営）が、完了する。
そのため、テント設営後は、テレスコピック構造の支柱を有した従来のテントに比べて接地面積が大きくなるとともに、各支柱が平面視してＬ字状の部材となるため、支柱によるテントの安定性が高まる。
しかも、従来テントの課題であった、テント設営後に、屋根の荷重による支柱の押し縮みを原因としたテントの傾倒が生じない。
【００２６】
第２の発明によれば、まずテントの四隅に支柱を配置する。
その後、各支柱において、ヒンジを介して、各上側の支柱エレメントをＬ字状に開く一方、別のヒンジを介して、各下側の支柱エレメントを内折りして重ね合わせる。
その後、また別のヒンジを介して、重なり合った各下側の支柱エレメントを、そのままの状態で側面視して直角に外折りする。
その結果、この外折り部分が、各支柱の地面と接するアンカーになる。
【００２７】
その後の屋根の組立時には、各支柱の上端部に、前後左右側の４つ梁材を矩形枠状に連結する。
具体的には、隣り合う梁材同士が直交するテントの四隅において、一方の上側の支柱エレメントの上端部を、一方の梁材に着脱可能に連結するとともに、他方の上側の支柱エレメントの上端部を、他方の梁材に着脱可能に連結する。
その後、各梁材に天幕を展張することで、屋根が組み立てられる。
【００２８】
屋根組立後は、各支柱において、ヒンジを介して、上下一対の支柱エレメントを真っ直ぐに伸ばすとともに、左右一対の部分支柱を、別のヒンジを介して、平面視してＬ字状に開く。
その後、各支柱の他方の部分支柱において、掛止具を介して、上下一対の支柱エレメントの突合せ側の端部同士を掛止する。
これにより、テントが設営される。
【００２９】
このように構成したことで、屋根の組立時、各支柱の重なり合った各下側の支柱エレメントが、地面と接するアンカーとなる。
そのため、組み立て時におけるテントの安定性が高まる。
【００３０】
また、各支柱における一方の部分支柱では、ヒンジを介して、上下一対の支柱エレメント同士を折り畳み可能に連結し、かつ他方の部分支柱にあっては、掛止具を介して、上下一対の支柱エレメント同士を掛止するように構成している。
【００３１】
そのため、テントの四隅において、各部分支柱の上側の支柱エレメントの上端部を、対応する梁材の端部にそれぞれ連結した状態で、側面視して直角に外折りし、この外折り部分を接地させることができる。
【００３２】
第３の発明によれば、片流れ式の折畳テントを作製するに際して、屋根の前後方向の高さを変更することで、各支柱の高さを同一とした。
これにより、各支柱を同一サイズの支柱エレメントのみを用いて作製することが可能となり、部品点数を減らすことができる。
【００３３】
第４の発明によれば、各支柱エレメントを、平行に離間した２本の縦枠材と、複数本の横枠材とを有した梯子状の構造物としたため、横枠材を利用して、簡単に棚を付けたり、フックを引っ掛けることができる。
【００３４】
第５の発明によれば、各支柱を平面視してＬ字状の部材としたため、金属製に比べて低強度となる木製の支柱であっても高いテントの安定性が得られる。
さらには、テントの骨組みである各支柱と各梁材とをそれぞれ木製としたため、例えば、オーガニックマーケットでの出店コンセプトに合致したものとなる。
【図面の簡単な説明】
【００３５】
【図１】本発明の実施例１に係る折畳テントの設営状態の斜視図である。
【図２】本発明の実施例１に係る折畳テントの一部を構成する支柱を、正面方向から見た斜視図である。
【図３】本発明の実施例１に係る折畳テントの一部を構成する支柱を、背面方向から見た斜視図である。
【図４】本発明の実施例１に係る折畳テントの一部を構成する支柱の折り畳み状態を示す斜視図である。
【図５】本発明の実施例１に係る折畳テントの一部を構成する左側梁材及び右側梁材の展開状態を示す正面図である。
【図６】本発明の実施例１に係る折畳テントの一部を構成する左側梁材及び右側梁材の折り畳み状態を示す正面図である。
【図７】本発明の実施例１に係る折畳テントの一部を構成する後側梁材の展開状態を示す正面図である。
【図８】本発明の実施例１に係る折畳テントの一部を構成する後側梁材の折り畳み状態を示す正面図である。
【図９】本発明の実施例１に係る折畳テントの一部を構成する前側梁材の展開状態を示す正面図である。
【図１０】本発明の実施例１に係る折畳テントの一部を構成する前側梁材の折り畳み状態を示す正面図である。
【図１１】本発明の実施例１に係る折畳テントの一部を構成するセンター天幕支持枠の折り畳み状態を示す正面図である。
【図１２】本発明の実施例１に係る折畳テントの一部を構成する左右のサイド天幕支持枠の折り畳み状態を示す正面図である。
【図１３】本発明の実施例１に係る折畳テントについて、骨組みの組立途中の状態を前方から見た斜視図である。
【図１４】本発明の実施例１に係る折畳テントについて、骨組みの組立途中の状態を側方から見た斜視図である。
【図１５】本発明の実施例１に係る折畳テントについて、屋根のコーナー部の骨組み構造を上方から見た要部拡大斜視図である。
【図１６】本発明の実施例１に係る折畳テントについて、屋根のコーナー部の骨組み構造をテント内方から見た要部拡大斜視図である。
【図１７】本発明の実施例１に係る折畳テントの屋根への天幕の展張作業を示す斜視図である。
【発明を実施するための形態】
【００３６】
以下、この発明の実施例を具体的に説明する。
ここでは、平面視してほぼ正方形状の折畳テントを例とする。
【００３７】
図１および図１３おいて、１０はこの発明の実施例１に係る折畳テントで、この折畳テント１０は、四隅に配される折り畳み可能な４本の支柱１１と、対応する支柱１１の上端部間に、前側梁材１２、後側梁材１３、左側梁材１４および右側梁材１５が、それぞれ着脱可能に連結され、かつ各梁材１２〜１５に天幕１６が掛止された屋根１７とを備えたものである。
【００３８】
以下、これらの構成部品を具体的に説明する。
まず、図２〜図４を参照して支柱１１を説明する。
４本の支柱１１は、同一物であるため、説明の都合上、１本の支柱１１のみについて説明する。
【００３９】
支柱１１の材料は杉材で（梁材１２〜１５も同じ）、図２および図３に示すように、縦長な左右一対の部分支柱１８，１９を、平面視して内折れ可能なＬ字状に、ヒンジＨを用いて連結したものである。
ここで、正面方向から見た図２に示すように、１８を左側の部分支柱とし、１９を右側の部分支柱とする。
該支柱１１は、フレーム状の４枚の支柱エレメント１８Ａ，１８Ｂ，１９Ａ，１９Ｂを、高さ方向に折り畳み可能に連結した構造を有している。
【００４０】
以下、図２〜図４を参照して、支柱１１を構成する部分支柱１８，１９を具体的に説明する。
部分支柱１８は、上側支柱エレメント１８Ａと、下側支柱エレメント１８Ｂとを有している。
部分支柱１９は、上側支柱エレメント１９Ａと、下側支柱エレメント１９Ｂとを有している。
【００４１】
各支柱エレメント１８Ａ，１８Ｂ，１９Ａ，１９Ｂは、２０ｃｍ前後の間をあけて平行に離間した長さ９０ｃｍの左右一対の縦枠材２０と、長さ（横幅）２０ｃｍ前後の各３本の細い横枠材２１とを梯子状に連結したものである。
各縦枠材２０の長さ方向の一端間は、それぞれ短尺な連結端材２２を介して連結されている。
すなわち、各縦枠材２０の長さ方向の一端に位置する上側支柱エレメント１８Ａ，下側支柱エレメント１８Ｂ，上側支柱エレメント１９Ａ，下側支柱エレメント１９Ｂの各突き合わせ側の端部が、それぞれ短尺な連結端材２２を介して連結されている。
したがって、支柱１１の展開状態の長さは、１８０ｃｍである。
【００４２】
各部分支柱１８，１９のうち、左右一対の上側支柱エレメント１８Ａ，１９Ａと、左右一対の下側支柱エレメント１８Ｂ，１９Ｂとは、それぞれ平面視して内折れ可能なＬ字状に、上下一対のヒンジＨによって連結されている。
【００４３】
背面方向から見た図３に示すとおり、左側の部分支柱１８には、上下一対の支柱エレメント１８Ａ，１８Ｂの隣接する連結端材２２間に、上側支柱エレメント１８Ａと下側支柱エレメント１８Ｂとを互いに掛止する掛止具であり、パッチン錠２３が配されている。
【００４４】
該パッチン錠２３は、本体部２４とフック部２５とから構成されている。
そして、下側支柱エレメント１８Ｂの連結端材２２のうち、その外側（左右一対の部分支柱１８，１９の折り畳み中心を内側とした場合の外側、以下同じ）の端部の内面に、パッチン錠２３の本体部２４が固定されている。
また、上側の支柱エレメント１８Ａの連結端材２２のうち、その外側の端部の内面に、本体部２４に軸支された掛止リングを引っ掛けるためのフック部２５が固定されている。
【００４５】
図２に示すとおり、右側の部分支柱１９は、連結部材２２に取り付けられたヒンジＨを介して、上側の支柱エレメント１９Ａに下側の支柱エレメント１９Ｂを、側面視して直角に外折れ可能に連結したものである。
【００４６】
また、上側の支柱エレメント１８Ａ，１９Ａにおいて、各外側の縦枠材２０の上端部の外面には、上下一対の上向フック金具２６が、それぞれ上下に離間した状態で配設されている。
【００４７】
次に、図５〜図８を参照して、後側梁材１３、左側梁材１４および右側梁材１５について説明する。
３つの梁材１３〜１５は、後側梁材１３のみが、左，右側梁材１３，１４に一対ずつ配設された鉤形の位置決金具２７を有していない外は同一構造である。
そのため、説明の都合上、後側梁材１３は後述するとともに、主に右側梁材１５についてのみ説明する。
【００４８】
図５に示すとおり、右側梁材１５は、それぞれ横長な右前側の部分梁材１５Ａと、右後側の部分梁材１５Ｂとからなる。
各部分梁材１５Ａ，１５Ｂは、上下に２０ｃｍ前後の間をあけて平行に離間した長さ９０ｃｍの上弦材２８および下弦材２９の間に、長さ（高さ）２０ｃｍ前後の各３本の細い束材３０を取り付け、梯子状に連結したものである。
【００４９】
各部分梁材１５Ａ，１５Ｂは、各上弦材２８の突き合わせ側の端部の内面（テントの内面）同士と、各下弦材２９の突き合わせ側の端部の内面同士とが、上下一対のヒンジＨを介して、折り畳み可能に連結されている。
図６に示すとおり、各部分梁材１５Ａ，１５Ｂのうち、下弦材２９の突き合わせ側の端部の外面（テントの外面）間に、前記連結部材２２に設けたものと同様のパッチン錠２３が配設されている。
【００５０】
具体的には、右前側の部分梁材１５Ａにおいて、下弦材２９の突き合わせ側の端部の外面（ヒンジＨの取付部分の裏側）に、図３に示すものと同様のパッチン錠２３のフック部２５が固定されている。
右後側の部分梁材１５Ｂにおいて、下弦材２９の突き合わせ側の端部の外面に、図３に示すものと同様のパッチン錠２３の本体部２４が固定されている。
右後側の部分梁材１５Ｂの上弦材２８の三分の一程度の位置で最後側の束材３０との連結部付近に、後述するサイド天幕支持部材３２の先細りした先端部を位置決めする、鈎状の位置決金具２７が取り付けられている。
【００５１】
右前側の部分梁材１５Ａの上弦材２８，下弦材２９のうち、最前側の束材３０との連結部分の内面には、対応する支柱１１の各上向フック金具２６に掛止される上下一対のフック掛止金具３１が、それぞれ取り付けられている。
【００５２】
左側梁材１４は、左前側の部分梁材１４Ａと、左後側の部分梁材１４Ｂとが、ヒンジＨを介して、折り畳み可能に連結されたものである。
そして、左後側の部分梁材１４Ｂの上弦材２８の三分の一程度の位置に、鈎状の位置決金具２７が取り付けられている。
その他の構成は、右側梁材１５と同一であるため、説明を省略する。
【００５３】
図７に示すように、後側梁材１３は、後左側梁材１３Ａと、後右側梁材１３Ｂとを、ヒンジＨにより折り畳み可能に連結したものである。
なお、後側梁材１３には、図５，図６に示す位置決金具２７は存在しない。
その他の構成は、右側梁材１５と同じであるため、説明を省略する。
【００５４】
次に、図９および図１０を参照して、前側梁材１２を説明する。
前側梁材１２は、前左側梁材１２Ａと、前右側梁材１２Ｂとを、ヒンジＨにより折り畳み可能に連結したものである。
その他の基本構造は、後側梁材１３と略同じであるが、全ての束材３０は、後側梁材１３のものより高く（長く）形成されている。
これにより、前側梁材１２の方が、後側梁材１３に比べて高さがあり、これが片流れの屋根１７のベース構造の一部となっている（図１３，１４参照）。
【００５５】
前側梁材１２の６本の束材３０のうち、最左側と最右側は、他の４本より幅広な材料で形成された幅広束材３０Ａである（図９参照）。
両側の幅広束材３０Ａの半分より上側には、フック掛止金具３１が各々取り付けられている。
また、両側の幅広束材３０Ａの下端側の下弦材２９の内面側にも、フック掛止金具３１が各々取り付けられている。
【００５６】
次に、図１１〜図１４を参照して、片流れの屋根１７の一部を構成する、左右のサイド天幕支持部材３２と、センター天幕支持部材３３とについて説明する。
【００５７】
センター天幕支持部材３３は、前側梁材１２，後側梁材１３の上弦材２８のうち、長さ方向（テント幅方向）の中間部間に、前方へ上方傾斜した状態で掛け渡されて、天幕１６の中央部を支持する細長い部材である。
【００５８】
図１１に示すように、センター天幕支持部材３３は、前側センター部分長材３３Ａの後端部と、後側センター部分長材３３Ｂの先端部とを、ヒンジＨを介して折り畳み可能に連結したものである。
前側センター部分長材３３Ａと後側センター部分長材３３ＢのヒンジＨの取り付け端部の反対側の各端部には、対応する前側梁材及１２，後側梁材１３の各上弦材２８に連結するために、鉤形の連結金具３４が各々取り付けられている。
【００５９】
図１２および図１４に示すように、左右のサイド天幕支持部材３２は、天幕１６の左右の側部をそれぞれ支持する細長い部材である。
各サイド天幕支持部材３２の長さは、センター天幕支持部材３３の長さより短く形成されている。
【００６０】
各サイド天幕支持部材３２は、前側サイド部分長材３２Ａの後端部と、これより短い後側サイド部分長材３２Ｂの先端部とを、ヒンジＨを介して折り畳み可能に連結したものである。
【００６１】
前側サイド部分長材３２Ａの前端部には、対応する前側梁材１２の上弦材２８に連結するために、鉤形の連結金具３４が固定されている。
後側サイド部分長材３２Ｂの後端部は、対応する位置決金具２７に差し込んで掛止可能なように、後方へ向かって徐々に薄くなるように形成されている。
【００６２】
図１３，図１４に示すように、サイド天幕支持部材３２は、前側梁材１２の上弦材２８の端部から、位置決金具２７側に向けて、徐々に低くなるように、前上がりの傾斜状態で掛け渡されている。
【００６３】
次に、図１〜図１７を参照して、この発明の実施例１に係る折畳テント１０の設営（組立）手順について説明する。
【００６４】
設営現場において、テント設営予定箇所の四隅に、各支柱１１を配置する（図１３，図１４参照）。
この際、各支柱１１において、ヒンジＨを介して、上側支柱エレメント１８Ａ，１９ＡをＬ字状に開くと共に、別のヒンジＨを介して、下側支柱エレメント１８Ｂ，１９Ｂを内折りして重ね合わせ、重なり合った下側支柱エレメント１８Ｂ，１９Ｂを、ヒンジＨを介して、そのままの状態で側面視して直角に外折りする（図１３参照）。
その結果、この外折り部分が、各支柱１１の地面と接するアンカーの役割を果たすと共に、上側支柱エレメント１８Ａ，１９ＡがＬ型に開いているので、安定して自立する。
【００６５】
次に、図１３，図１４に示すように、各支柱１１の上端部に、前後左右の梁材１２〜１５を矩形枠状に連結して、屋根１７を組み立てる。
具体的には、図５〜図１０に示すように、折り畳まれた各対配置された梁材１２Ａ−１２Ｂ，１３Ａ−１３Ｂ，１４Ａ−１４Ｂ，１５Ａ−１５Ｂを、それぞれヒンジＨを中心に回動して伸ばして直線状にし、対応するパッチン錠２３により連結することで、前後左右側の梁材１２〜１５からなる屋根１７の骨組みを組み立てる。
【００６６】
その後、図１３〜図１５に示すように、隣り合う梁材１２−１４，１２−１５，１３−１４，１３−１５同士が直交するテントの四隅において、各支柱１１のうち、左右一対の上側支柱エレメント１８Ａ，１９Ａの上端部を、対応する梁材１２−１４，１２−１５，１３−１４，１３−１５に着脱可能に連結する。
【００６７】
すなわち、これらの連結時には、左右一対の上側支柱エレメント１８Ａ，１９Ａに配された各上向フック金具２６に、対応する梁材１２〜１５の各フック掛止金具３１を、引っ掛けることで、それぞれ掛止する（図２，図５，図７，図９，図１５参照）。
【００６８】
その後、図１１に示す、前側センター部分長材３３Ａと後側センター部分長材３３Ｂとを、ヒンジＨを中心に回動して直線状に伸ばし、長尺なセンター天幕支持部材３３を組み立てる。
また、前側サイド部分長材３２Ａと先細りの後側サイド部分長材３２Ｂとを、ヒンジＨを中心に回動して直線状に伸ばすことで、左右のサイド天幕支持部材３２を組み立てる。
【００６９】
次いで、図１３，図１４に示すように、センター天幕支持部材３３を、前側梁材１２，後側梁材１３の上弦材２８の中間部間に、一対の連結金具３４を介して、前上がりの状態で掛け渡して組み立てる。
【００７０】
左右のサイド天幕支持部材３２は、前側梁材１２の上弦材２８の対応する端部と、左側梁材１４，右側梁材１５に取り付けられた対応する位置決金具２７との間に、前上がりの状態で掛け渡す。
この際、各サイド天幕支持部材３２は、各前側サイド部分長材３２Ａの先端に取り付けられた連結金具３４によって、前側梁材１２の上弦材２８の対応する端部に連結される。
【００７１】
このようにして、各支柱１１の上端部に、各梁材１２〜１５からなる屋根１７の骨組みが組み立てられる。
その後、各梁材１２〜１５、サイド天幕支持部材３２，センター天幕支持部材３３の上に、四方に側面幕を有する天幕１６を展張することで、屋根１７が完成する。
【００７２】
屋根１７が完成すると、各支柱１１の上端部に組み立てられた各梁材１２〜１５が、天幕１６により被覆されることで押さえられることになるので、上向フック金具２６とフック掛止金具３１とが外れることなく、折畳テント１０の屋根１７部分が安定したものとなる（図１７参照）。
【００７３】
この屋根１７の組立後は、各支柱１１において、畳んだ状態で直角に折り曲げられていた下側支柱エレメント１８Ｂ，１９Ｂを、上側支柱１９Ａの下端側の連結部材２２に取り付けられたヒンジＨ（図２参照）を中心に回動して直線状に一気に伸ばす。
次いで、畳んだ状態の下側支柱エレメント１８Ｂ，１９Ｂを、縦枠材２０に取り付けられたヒンジＨ（図３参照）を介して、平面視してＬ字状に開く。
【００７４】
その後、各左側の部分支柱１８において、各パッチン錠２３によって、対応する上側支柱エレメント１８Ａ，下側支柱エレメント１８Ｂの突合せ側の端部同士を、それぞれ掛止する（図３参照）。
これにより、折畳テント１０が設営される。
【００７５】
このように、実施例１では、各支柱１１として、左右一対の部分支柱１８，１９を、ヒンジＨを介して、平面視して内折れ可能に連結したものを採用している。
また、各支柱１１は、４枚のフレーム状の支柱エレメント１８Ａ，１８Ｂ，１９Ａ，１９Ｂを、高さ方向に折り畳み可能に連結したものとしている。
【００７６】
これにより、保管時には、折畳テント１０を、各支柱１１と、各梁材１２〜１５と、天幕１６と、サイド天幕支持部材３２と、センター天幕支持部材３３とにそれぞれ分解し、かつ各支柱１１を含むこれらの部材を、コンパクトに折り畳んで保管することができる。
【００７７】
また、屋根１７の組立時には、各支柱１１を所定の支柱エレメント１８Ａ，１８Ｂ，１９Ａ，１９Ｂ間で折り曲げた、中折れ状態の高さが低い姿勢で、屋根１７の組み立て作業を行うことができる。
その結果、この屋根１７の組み立ての作業性が高まり、テント設営に要する時間を短縮することができる。
【００７８】
さらに、このように左右一対の部分支柱１８，１９を、ヒンジＨを介して平面視してＬ字状に開くようにしたため、テント設営後は、テレスコピック構造の支柱を有した従来のテントに比べて接地面積が大きくなり、折畳テント１０の安定性が高まる。
しかも、上側支柱エレメント１８Ａ，１９Ａの下端側面が、下側支柱エレメント１８Ｂ，１９Ｂの上端側面に、全面的に接触することで直立しているので、従来テントの課題であった、テント設営後、屋根の荷重による支柱の押し縮みを原因としたテントの傾倒は発生しない。
【００７９】
また、各支柱１１における右側の部分支柱１９では、ヒンジＨを介して、上下一対の支柱エレメント１９Ａ，１９Ｂ同士を折り畳み可能に連結した。
一方、左側の部分支柱１８にあっては、パッチン錠２３を介して、上下一対の支柱エレメント１８Ａ，１８Ｂ同士を掛止するように構成した。
【００８０】
これにより、テントの四隅において、各支柱１１の支柱エレメント１８Ｂ，１９Ｂを、側面視して直角に外折りし、その後、各部分支柱１８，１９の上側の支柱エレメント１８Ａ，１９Ａの上端部を、対応する梁材１２〜１５の端部にそれぞれ連結する。
このように、外折り部分を接地させることができるため、脚立等を使用せずとも、地面からさほど高くない位置（９０ｃｍ程度）で、屋根１７の組み立て作業を楽な姿勢で行うことができる。
【００８１】
また、ここでは、屋根１７の前側梁材１２を後側梁材１３より高くすることで、屋根１７（天幕１６）の片流れを実現させている。
これにより、各支柱１１の高さが同一となるので、各支柱１１を同一サイズの支柱エレメント１８Ａ，１８Ｂ，１９Ａ，１９Ｂのみを用いて、これらの支柱１１を作製することができる。
【００８２】
さらに、各支柱エレメント１８Ａ，１８Ｂ，１９Ａ，１９Ｂを、平行に離間した２本の縦枠材２０と、複数本の横枠材２１とを有する梯子状の構造物としたため、所定の横枠材２１を利用して棚を付けたり、例えば商品を吊下したフックを引っ掛けることができる。
【００８３】
さらにまた、各支柱１１を、平面視してＬ字状に開閉可能な構造物としたため、金属製のものに比べて低強度となる木製の支柱１１であっても、折畳テント１０の高い安定性が得られる。
さらには、折畳テント１０の骨組みである各支柱１１と各梁材１２〜１５を、それぞれ木製とすることで、例えば、オーガニックマーケットでの出店コンセプトに合致したものとなる。
【符号の説明】
【００８４】
１０  折畳テント
１１  支柱
１２  前側梁材
１２Ａ  前左側梁材
１２Ｂ  前右側梁材
１３  後側梁材
１３Ａ  後左側梁材
１３Ｂ  後右側梁材
１４  左側梁材
１４Ａ  左前側の部分梁材
１４Ｂ  左後側の部分梁材
１５  右側梁材
１５Ａ  右前側の部分梁材
１５Ｂ  右後側の部分梁材
１６  天幕
１７  屋根
１８  左側の部分支柱
１８Ａ  上側支柱エレメント
１８Ｂ  下側支柱エレメント
１９  右側の部分支柱
１９Ａ  上側支柱エレメント
１９Ｂ  下側支柱エレメント
２０  縦枠材
２１  横枠材
２２  連結部材
２３  パッチン錠
２４  本体部
２５  フック部
２６  上向フック金具
２７  位置決金具
２８  上弦材
２９  下弦材
３０  束材
３０Ａ  幅広束材
３１  フック掛止金具
３２  サイド天幕支持部材
３２Ａ  前側サイド部分長材
３２Ｂ  後側サイド部分長材
３３  センター天幕支持部材
３３Ａ  前側センター部分長材
３３Ｂ  後側センター部分長材
３４  連結金具
Ｈ  ヒンジ
【図１】
2020002739.tif 000003
【図２】
2020002739.tif 000004
【図３】
2020002739.tif 000005
【図４】
2020002739.tif 000006
【図５】
2020002739.tif 000007
【図６】
2020002739.tif 000008
【図７】
2020002739.tif 000009
【図８】
2020002739.tif 000010
【図９】
2020002739.tif 000011
【図１０】
2020002739.tif 000012
【図１１】
2020002739.tif 000013
【図１２】
2020002739.tif 000014
【図１３】
2020002739.tif 000015
【図１４】
2020002739.tif 000016
【図１５】
2020002739.tif 000017
【図１６】
2020002739.tif 000018
【図１７】
2020002739.tif 000019